(57)【要約】【課題】音声データと画像データとの関連付け情報等の編集を行ない得るデータ編集装置とこれに使用するデータ編集プログラムとを提供する。【解決手段】音声データとこの音声データの所定の再生位置に関連付けられた画像データとを格納する第１のフォルダ５１と、音声データを格納せずに画像データのみを格納する第２のフォルダ５２と、第１のフォルダに格納されている任意の音声データとこれに関連付けられている画像データとの関連付けを解除するリンク解除手段と、リンク解除手段によって関連付けの解除が行なわれた場合には、解除された関連付け情報が設定されていた画像データを第１のフォルダから第２のフォルダへと移動する移動手段とを具備する。【選択図】　　図５
2004134985.tif 000002
【特許請求の範囲】
【請求項１】
音声データとこの音声データの所定の再生位置に関連付けられた画像データとを格納する第１のフォルダと、
音声データを格納せずに画像データのみを格納する第２のフォルダと、
上記第１のフォルダに格納されている任意の音声データとこれに関連付けられている画像データとの関連付けを解除するリンク解除手段と、
上記リンク解除手段によって関連付けの解除が行なわれた場合には、解除された関連付け情報が設定されていた画像データを上記第１のフォルダから上記第２のフォルダへと移動する移動手段と、
を具備することを特徴とするデータ編集装置。
【請求項２】
解除された関連付け情報が設定されていた上記画像データを上記第１のフォルダから上記第２のフォルダへと移動させる際に、当該第２のフォルダ内に関連付け情報が設定されていた上記画像データと同一の画像データが存在した場合には、上記移動を禁止する禁止手段を、さらに具備することを特徴とする請求項１に記載のデータ編集装置。
【請求項３】
上記リンク解除手段は、関連付け情報を解除する際に上記音声データのヘッダ情報を書き換えると共に上記画像データのヘッダ情報を書き換えることにより、上記音声データと上記画像データとの関連付けを解除することを特徴とする請求項１に記載のデータ編集装置。
【請求項４】
第１のフォルダに格納されている音声データとこの音声データの所定の再生位置に関連付けられた画像データとをコンピュータを用いて編集させ得るデータ編集プログラムであって、
このデータ編集プログラムは、上記第１のフォルダに格納されている任意の音声データと画像データとの関連付けを解除させる機能と、
関連付けの解除が行なわれた場合には、解除された関連付け情報が設定されていた上記画像データを上記第１のフォルダから上記第２のフォルダへと移動させる機能と、
を実現することを特徴とするデータ編集プログラム。
【発明の詳細な説明】
【０００１】
【発明の属する技術分野】
この発明は、データ編集装置及びデータ編集プログラム、詳しくは音声データ及び画像データを記録し得る音声画像記録装置等によって取得した音声データ及び画像データを当該音声画像記録装置から転送させて自己に格納しこれを編集するデータ編集装置と、このデータ編集装置に格納された音声データと画像データとの関連付け情報を編集する機能を実現するデータ編集プログラムに関するものである。
【０００２】
【従来の技術】
従来より、画像データ及び音声データを所定の記録媒体に記録しておき、この記録済みの任意の画像データを再生するに際して音声データをも再生し得るようにした音声画像記録装置については、例えば特開平６−２５１０７９号公報等によって種々の提案がなされている。
【０００３】
上記特開平６−２５１０７９号公報によって開示されている画像音声ファイル装置は、画像データを主体とした考え方から構成されており、画像データに対して任意の音声データを関連付けるように構成したものである。
【０００４】
これとは別に、音声データを記録することを主体とする記録装置において画像データをも記録し得るように構成し、これにより取得した画像データを音声データに関連付けるように構成した形態の音声画像記録装置についても、近年種々のものが実用化されている。
【０００５】
このように、近年においては音声と静止画像又は動画像とを電子的なデータとして取得し得ると共に、取得した音声データ及び画像データを半導体メモリ等の所定の記録媒体に記録し格納し得るようにした小型の音声画像記録装置、例えば携帯型のデジタルレコーダ等が一般的に実用化されている。
【０００６】
また、近年においては、上述のような音声画像記録装置によって取得した音声データ及び画像データを扱い得る小型情報処理装置、いわゆるパーソナルコンピュータ等（以下単にコンピュータという）の高性能化が顕著である。
【０００７】
そこで、上述のような音声画像記録装置とコンピュータとを連繋させて、電子的なデータとして音声及び画像を取り扱うためのさまざまな手段が提案され、また実用化されている。
【０００８】
つまり、音声画像記録装置とコンピュータとを所定のケーブル等を用いて電気的に接続し得るように構成し、両装置を接続した状態において互いに通信を行なって音声画像記録装置によって取得した所定の音声データ及び画像データとをコンピュータの側へ転送した後、この転送されたデータを対象としてコンピュータ側において各種の編集作業を行ない得るように構成し得るようにすれば至便である。
【０００９】
この場合において、音声画像記録装置によって取得したデータをコンピュータ側に転送した後の編集作業としては、例えば当該コンピュータ側において、任意の音声データに対する画像データの関連付け情報を編集し記録する等の作業があり、このような編集作業は、コンピュータ側で行なうことができれば効率的である。
【００１０】
【特許文献１】
特開平６−２５１０７９号公報
【００１１】
【発明が解決しようとする課題】
ところが、上記特開平６−２５１０７９号公報によって開示されている手段では、音声データと画像データとは別に専用のインデックスデータファイルを用意して、音声データと画像データとの関連付け情報等を記録するようにしている。このことから、例えば所定の音声データ又は画像データが削除されてしまうとインデックスデータファイルに記録されている関連付け情報に矛盾が生じてしまう等の問題点がある。
【００１２】
また、音声データ及び画像データを異なる記録媒体に移動した場合に関連付け情報を維持するためには、インデックスデータファイルも共に移動させる必要があるという問題点がある。
【００１３】
さらに、上述の特開平６−２５１０７９号公報によって開示されている手段によっては、音声データ及び画像データに加えてインデックスデータをも同時に扱う必要があるために煩雑な処理が必要になってしまうという問題点がある。
【００１４】
本発明は、上述した点に鑑みてなされたものであって、その目的とするところは、音声画像記録装置によって取得した音声データ及び画像データを当該音声画像記録装置から転送させて自己の内部に格納した後、この音声データと画像データとを対象として各データの関連付け情報等についての編集を行ない得るようにしたデータ編集装置と、これに使用してその機能を実現し得るデータ編集プログラムとを提供することである。
【００１５】
【課題を解決するための手段】
上記目的を達成するために、第１の発明によるデータ編集装置は、音声データとこの音声データの所定の再生位置に関連付けられた画像データとを格納する第１のフォルダと、音声データを格納せずに画像データのみを格納する第２のフォルダと、上記第１のフォルダに格納されている任意の音声データとこれに関連付けられている画像データとの関連付けを解除するリンク解除手段と、上記リンク解除手段によって関連付けの解除が行なわれた場合には、解除された関連付け情報が設定されていた画像データを上記第１のフォルダから上記第２のフォルダへと移動する移動手段とを具備することを特徴とする。
【００１６】
また、第２の発明は、上記第１の発明によるデータ編集装置において、解除された関連付け情報が設定されていた上記画像データを上記第１のフォルダから上記第２のフォルダへと移動させる際に、当該第２のフォルダ内に関連付け情報が設定されていた上記画像データと同一の画像データが存在した場合には、上記移動を禁止する禁止手段を、さらに具備することを特徴とする。
【００１７】
そして、第３の発明は、上記第１の発明によるデータ編集装置において、上記リンク解除手段は、関連付け情報を解除する際に上記音声データのヘッダ情報を書き換えると共に上記画像データのヘッダ情報を書き換えることにより、上記音声データと上記画像データとの関連付けを解除することを特徴とする。
【００１８】
第４の発明によるデータ編集プログラムは、第１のフォルダに格納されている音声データとこの音声データの所定の再生位置に関連付けられた画像データとをコンピュータを用いて編集させ得るデータ編集プログラムであって、このデータ編集プログラムは、上記第１のフォルダに格納されている任意の音声データと画像データとの関連付けを解除させる機能と、関連付けの解除が行なわれた場合には、解除された関連付け情報が設定されていた上記画像データを上記第１のフォルダから上記第２のフォルダへと移動させる機能とを実現することを特徴とする。
【００１９】
【発明の実施の形態】
以下、図示の実施の形態によって本発明を説明する。
図１は、本発明の一実施形態のデータ編集装置とこれに接続される音声画像記録装置を示す概略構成図である。
【００２０】
本実施形態のデータ編集装置２は、図１に示すように装置本体２ａと、表示部２ｂと、入力部２ｃとによって構成されており、例えば一般的な小型情報処理装置（小型コンピュータ）が適用されている。したがって、以下の説明においては、データ編集装置２については単にコンピュータ２というものとする。
【００２１】
つまり、このコンピュータ２の装置本体２ａは、本コンピュータ２の全体を制御し当該装置本体２ａに接続される機器、例えばＨＤＤ（Ｈａｒｄ　Ｄｉｓｋ　Ｄｒｉｖｅ）等の記録媒体等の各種機器やこれらの各機器を介して入出力される電気信号等を適宜取り扱うべく設けられるＭＰＵ（ＭｉｃｒｏＰｒｏｃｅｓｓｉｎｇ　Ｕｎｉｔ）等を含む制御回路を実装した複数の回路基板等によって構成でされている。
【００２２】
また装置本体２ａには、例えば携帯型デジタルレコーダ等の音声画像記録装置１を接続するための接続端子２ｄが具備されている。この接続端子２ｄとしては、例えばシリアルインターフェース規格の一つであるＵＳＢ（Ｕｎｉｖｅｒｓａｌ　Ｓｅｒｉａｌ　Ｂｕｓ）規格に準拠したＵＳＢ端子等が適用される。そして、この接続端子２ｄには接続ケーブル２ｅの一端部が着脱自在に接続されている。
【００２３】
一方、音声画像記録装置１の側にも同規格に準拠した同様の接続端子１９が設けられており、この接続端子１９には、上述の接続ケーブル２ｅの他端部が着脱自在に接続されている。したがって、これによりコンピュータ２と音声画像記録装置１との両装置は、接続ケーブル２ｅを介して電気的に接続されたときには互いに通信し得るように構成されている。
【００２４】
なお、図１ではコンピュータ２としては、いわゆる据え置き型（デスクトップ型）の形態のコンピュータを示しているが、これに限ることはなく例えばラップトップ型あるいはノートブック型の形態のコンピュータを利用するようにしてもよい。即ち、一般的に普及している小型コンピュータであれば全く同様に適用することができる。
【００２５】
また、本実施形態においては、音声画像記録装置１として携帯型デジタルレコーダを例に挙げて説明しているが、これに限ることはなく、その他の形態の音声画像記録装置であってもよい。
【００２６】
次に、本実施形態のデータ編集装置（コンピュータ）に接続される音声画像記録装置についての詳細について図２〜図４を用いて以下に説明する。
【００２７】
図２・図３は、本実施形態のデータ編集装置（コンピュータ）に接続される音声画像記録装置の外観を示す斜視図であって、図２は当該音声画像記録装置の操作面側を主に示し、図３は当該音声画像記録の裏面側を主に示している。そして、図４は当該音声画像記録装置の内部構成を概略的に示すブロック構成図である。
【００２８】
音声画像記録装置１は、上述したように例えば携帯型デジタルレコーダ等が適用される。この音声画像記録装置１の操作面側の外表面には、図２・図３に示すように各種の機能を実現させるための複数の操作ボタン群４１と、液晶表示装置（ＬＣＤ）等からなり当該音声画像記録装置１における設定状態等を表示するための情報表示部１３と、発光ダイオード（ＬＥＤ）等からなり音声の記録時に点灯することで音声記録状態である旨を表示する録音表示ランプ１２と、音声を取得するためのマイク１１と、取得済みの音声データを再生する際にその音量調節を行なうための音量調節つまみ２１と、複数の光学レンズ等からなり画像データの対象となる物体（被写体）の像（被写体像）を所定の位置に形成する撮影レンズ１７と、所望の被写体を含み撮影し得る範囲を観察するためのファインダ装置におけるファインダ対物レンズ２９ａ及びファインダ接眼レンズ２９ｂと、このファインダ接眼レンズ２９ｂの近傍に設けられ点灯又は点滅することで撮影動作時の状態を表示する撮影ランプ３０と、誤操作を防止するための操作部材であって主電源のオンオフを切り換える操作部材をも兼ねるホールドボタン１８と、コンピュータ２（図１参照）との間で通信を行なうための接続端子１９と、取得済みの音声データを再生するためのスピーカー２６と、同様に取得済みの音声データを再生するためのイヤホン（図示せず）を接続するためのイヤホンジャック３１等がそれぞれ所定の位置に配設されている。
【００２９】
複数の操作ボタン群４１としては、次のようなものがある。即ち、
音声データの記録を開始する際に操作する録音ボタン１４、
年月日の設定や録音モードの切り換え等、本音声画像記録装置１における各種設定を行なうためのメニュー画面を呼び出したり、音声データの格納場所（フォルダ）の選択指定等を行なう際に操作するメニュー／フォルダボタン１５、
画像データの記録を行なう際に操作するシャッターボタン１６、
記録済みの音声データや画像データの消去を行なう際に操作する消去ボタン２０、
各種のファイル操作を行なったり各種の設定を行なう際に操作する集中ボタン３２、
等がある。
【００３０】
なお、メニュー／フォルダボタン１５は、所定の時間以上の長時間（例えば１秒以上）の押圧操作によってメニュー画面の呼び出しが実行される一方、短時間（例えば１秒未満）の押圧操作によってフォルダ切り換え操作が実行されるようになっている。
【００３１】
また、シャッターボタン１６は一般的な写真撮影機（カメラ）等におけるシャッターボタンと同様に、１段目の押圧操作によって測光動作を実行せしめ、続く２段目の押圧操作によってシャッターを駆動させて露出動作（撮影動作）を実行せしめるように構成された二段スイッチに対応する操作部材となっている。
【００３２】
集中ボタン３２は、複数の機能を一部材で操作し得るように構成されている操作部材であって、この集中ボタン３２には、例えば
再生動作や録音動作等の動作を停止させる際に操作する部位となる停止ボタン２２、
再生動作時に再生位置を変更する際に操作する操作部材であって、再生位置を現時点よりも時間的に戻す方向に移動させる操作を行なう部位となる戻しボタン２３、
再生動作時に再生位置を変更する際に操作する操作部材であって、再生位置を現時点よりも時間的に進める方向に移動させる操作を行なう部位となる送りボタン２４、
再生動作を開始する際に操作する部位となる再生ボタン２５、
等がある。
【００３３】
なお、集中ボタン３２における４つの部位（ボタン２２〜２５）は、本音声画像記録装置１の動作モードに応じて異なる機能が実行されるようにもなっている。例えば、本音声画像記録装置１の内部時計の設定を行なう場合等にも集中ボタンの４つの部位を適宜操作するようになっている。
【００３４】
続いて本音声画像記録装置１の内部構成について図４のブロック構成図に基づき以下に説明する。
【００３５】
本音声画像記録装置１は、音声を集音しこれを電気的な音声信号に変換する音声電気信号変換器であるマイク１１と、音声入力用の接続ケーブル等が接続されることで音声を本音声画像記録装置１に入力するためのライン入力端子１０２（図１〜図３では図示せず）と、マイク１１又はライン入力端子１０２から入力される音声信号を受けてこれを増幅し入力レベルの最適化を行なう信号増幅器であるプリアンプ１０４と、このプリアンプ１０４に入力する音声信号をマイク１１からのものとするか又はライン入力端子１０２からのものとするかを切り換える入力切換スイッチ（ＳＷ）１０３と、プリアンプ１０４や後述するデジタルシグナルプロセッサ（Ｄｉｇｉｔａｌ　Ｓｉｇｎａｌ　Ｐｒｏｃｅｓｓｏｒ；以下ＤＳＰと略記する）１１４から入力される音声信号を受けて所定の信号変換処理やフイルタ処理等を行なうオーディオコーディック１０５と、このオーディオコーディック１０５から出力される音声信号（アナログ信号）の出力先を切り換える出力切換スイッチ（ＳＷ）１０６と、出力切換スイッチ（ＳＷ）１０６を介して入力される音声信号をイヤホン（図示せず）を用いて発音するのに最適な信号となるように信号増幅処理を行なうイヤホンアンプ１０８と、イヤホン（図示せず）を本音声画像記録装置１に接続する接続手段であるイヤホン端子３１と、出力切換スイッチ（ＳＷ）１０６を介して入力される音声信号をスピーカー２６を用いて発音するのに最適な信号となるように信号増幅処理を行なうスピーカーアンプ１１０と、このスピーカアンプ１１０から出力される音声信号を受けて発音出力するスピーカー２６と、オーディオコーディック１０５からの出力信号（デジタル信号）を受けて圧縮符号化（エンコード）処理を施したり後述するＣＰＵ１１６からの出力信号を受けて伸張処理（デコード）を施す等のデジタル信号処理を行なうＤＳＰ１１４と、本音声画像記録装置１の回路全体を統括的に制御するＣＰＵ（Ｃｅｎｔｒａｌ　Ｐｒｏｃｅｓｓｉｎｇ　Ｕｎｉｔ；中央演算回路）等からなる制御手段１１６（以下ＣＰＵ１１６という）と、このＣＰＵ１１６に対して電力を供給する電源回路１２１と、上述の操作ボタン群４１に各連動し各種の指示信号を発生させて当該指示信号をＣＰＵ１１６へと伝達する複数の操作スイッチ等からなる操作スイッチ（ＳＷ）群１２０と、コンピュ
ータ２（図１参照）との通信を行なうための接続ケーブル２ｅが接続される接続端子１９と、この接続端子１９とＣＰＵ１１６との間に介在しＣＰＵ１１６の指令によって本音声画像記録装置１とコンピュータ２との間の通信を制御してデータ転送等を行なう通信コントローラ１２３と、当該音声画像記録装置１に関する所定の情報表示等を行なうための表示画面を含んで構成される情報表示部（図４では単に表示部と略記している）１３と、ＣＰＵ１１６の指示信号に基づいて情報表示部１３を駆動制御する表示駆動回路１１８と、被写体からの光束を集光する撮影レンズ１７と、この撮影レンズ１７を透過した光束により形成される被写体を含む光学像を受けて電気信号に変換する光電変換処理を行ない得る素子であって例えば電荷結合素子（Ｃｈａｒｇｅ　Ｃｏｕｐｌｅｄ　Ｄｅｖｉｃｅ；ＣＣＤという）や相補型金属酸化膜半導体（Ｃｏｍｐｌｅｍｅｎｔａｒｙ　Ｍｅｔａｌ−Ｏｘｉｄｅ　Ｓｅｍｉｃｏｎｄｕｃｔｏｒ；ＣＭＯＳという）等によって構成される撮像素子１２６と、この撮像素子１２６による光電変換作用の結果生成される電気信号（画像信号）を受けて各種所定の画像信号処理等を行なう画像エンコーダ１２５と、この画像エンコーダ１２５において行なわれる処理であって記録するのに最適な形態となるように変換された画像データ等を所定の領域に記録する半導体素子等からなる記録媒体１２２等によって構成されている。
【００３６】
操作スイッチ（ＳＷ）群１２０はＣＰＵ１１６に電気的に接続されており、当該ＣＰＵ１１６は操作スイッチ（ＳＷ）群１２０からの各種の指示信号を受けて所定の制御処理を行なうようになっている。この操作スイッチ（ＳＷ）群１２０は複数の操作スイッチ等によって構成されている。例えば
録音ボタン１４の操作に連動して録音を指示する指示信号を発生させる録音スイッチ１４ａ、
メニュー／フォルダボタン１５の操作に連動してメニュー切換指示信号又はフォルダ切換指示信号を発生させるメニュー／フォルダスイッチ１５ａ、
シャッターボタン１６の１段目の操作に連動して測光指示信号を発生させる第１シャッタースイッチ（シャッター１ｓｔスイッチ）１６ａ及び同シャッターボタン１６の２段目の操作に連動して露出指示信号（シャッターリリース信号等）を発生させる第２シャッタースイッチ（シャッター２ｎｄスイッチ）１６ｂによって構成される二段スイッチ、
消去ボタン２０の操作に連動してファイルの消去を行なう指示信号を発生させる消去スイッチ２０ａ、
停止ボタン２２の操作に連動して動作の停止を指示する指示信号を発生させる停止スイッチ２２ａ、
戻しボタン２３の操作に連動して再生位置の戻し方向への変更を指示する信号等の所定の指示信号を発生させる戻しスイッチ２３ａ、
送りボタン２４の操作に連動して再生位置を進める方向への変更を指示する信号等の所定の指示信号を発生させる送りスイッチ２４ａ、
再生ボタン２５の操作に連動して再生を開始する指示信号を発生させる再生スイッチ２５ａ、
等がある。
【００３７】
上述したように、プリアンプ１０４にはマイク１１又はライン入力端子１０２の何れか一方からの音声信号が入力切換スイッチ（ＳＷ）１０３による切り換えによって選択されるようになっている。通常状態においては、入力切換スイッチ（ＳＷ）１０３はマイク１１の側に接続されている。つまり、マイク１１からの音声信号がプリアンプ１０４へと入力されるようになっている。この状態において、ライン入力端子１０２に対して外部マイクや音声入力用の接続ケーブル等を接続すると、入力切換スイッチ（ＳＷ）１０３はライン入力端子１０２の側に切り換わるようになっている。これにより、当該ライン入力端子１０２からの音声信号がプリアンプ１０４へと入力されるようになる。
【００３８】
オーディオコーディック１０５は、入力アンプ１０５ａ・アナログデジタル（ＡＤ）コンバータ１０５ｂ・デジタルフイルタ１０５ｃ・デジタルアナログ（ＤＡ）コンバータ１０５ｄ・出力アンプ１０５ｅ等を具備して構成されている。
【００３９】
上述したように、オーディオコーディック１０５から出力されるアナログ音声信号は、出力切換スイッチ（ＳＷ）１０６による切り換えによってイヤホンアンプ１０８又はスピーカアンプ１１０の何れか一方に選択的に出力されるようになっている。通常状態においては、出力切換スイッチ（ＳＷ）１０６はスピーカアンプ１１０の側に接続されている。つまり、オーディオコーディック１０５から出力される音声信号はスピーカアンプ１１０を介してスピーカー２６へと出力され、当該スピーカー２６によって発音されるようになっている。この状態において、イヤホン端子３１に対してイヤホンの接続端子（図示せず）を接続すると、出力切換スイッチ（ＳＷ）１０６はイヤホンアンプ１０８の側に切り換わるようになっている。これにより、オーディオコーディック１０５から出力される音声信号はイヤホンアンプ１０８を介してイヤホン（図示せず）へと出力され、当該イヤホンによって発音されるようになっている。
【００４０】
上述したように、通信コントローラ１２３はＣＰＵ１１６の制御によってコンピュータ２との間で相互にデータ転送等の通信を制御するために設けられるものである。この通信コントローラ１２３には接続端子１９が接続されており、当該接続端子１９には、図１に示すように所定の接続ケーブル２ｅを介してコンピュータ２等が接続されるようになっている。したがって、本音声画像記録装置１とコンピュータ２とが接続ケーブル２ｅによって接続された状態では、ＤＳＰ１１４や記録媒体１２２から読み出された音声データ等が通信コントローラ１２３及び接続端子１９と所定の接続ケーブル２ｅを介してコンピュータ２へと伝送され得るようになっている。またコンピュータ２側にある所定の音声データや画像データ等も本音声画像記録装置１の側へ転送し得るようになっている。
【００４１】
さらに、ＣＰＵ１１６には表示駆動回路１１８を介して情報表示部１３が接続されている。したがって、ＣＰＵ１１６は操作スイッチ（ＳＷ）群１２０からの指示信号や本音声画像記録装置１のシステム状態等に応じて表示駆動回路１１８を制御して情報表示部１３の表示画面上に所定の表示、例えば本音声画像記録装置１において設定されている動作モードや動作状況・記録済みの音声データに関する情報（録音時間や録音日時等の情報）・内蔵時計に基づく年月日時刻表示・電源電池の残容量の表示・メモリ残容量の表示・所定の警告表示等等の各種情報表示を行なうことができるようになっている。
【００４２】
一方、撮影レンズ１７は被写体からの光束を集光して所定の位置に被写体像を形成するようになっている。この撮影レンズ１７によって形成される被写体像は撮像素子１２６の撮像面上に投影され、ここで光電変換処理が行なわれるようになっている。そして、この撮像素子１２６による光電変換処理の結果生成された電気信号、つまり画像を表わす画像信号は画像エンコーダ１２５へと出力され、ここで各種所定の画像信号処理が行なわれるようになっている。そして、この画像エンコーダ１２５において、記録するのに最適な形態となるように変換された画像データは、ＣＰＵ１１６を介して記録媒体１２２へと出力され、この記録媒体１２２の所定の領域に記録されるようになっている。
【００４３】
なお、本音声画像記録装置１によって記録される画像データは、例えばＪＰＥＧ（Ｊｏｉｎｔ　Ｐｈｏｔｏｇｒａｐｈｉｃ　Ｅｘｐｅｒｔ　Ｇｒｏｕｐ）形式やビットマップ（Ｂｉｔ　Ｍａｐ）形式等、一般的な画像データファイルの形態が適用される。
【００４４】
このように音声画像記録装置１によって記録されるべき音声データ及び画像データのそれぞれは、複数のデータファイルの形態で記録媒体１２２の所定の領域にそれぞれ記録されるようになっている。
【００４５】
この場合において、記録媒体１２２に記録される音声データファイル及び画像データファイルは、それぞれを容易に判別し得るような形態で記録されることになる。
【００４６】
図５は、本実施形態のデータ編集装置が具備する記録媒体内における記録領域での記録形態を示す概念図である。
【００４７】
データ編集装置２が具備する記録媒体（特に図示せず）においては、図５に示すように本実施形態のデータ編集プログラムが取り扱い得る各データファイルを記録するためのデータ記録用領域としてデータフォルダ５１が用意されている。
【００４８】
このデータフォルダ５１の内部には、音声データファイルとこの音声データファイルに関連づけられた画像データファイルとを格納するための記録領域であって第１のフォルダである音声フォルダ５２と、音声データファイルとの関連付けがなされていない画像データファイルのみを格納するための記録領域であって第２のフォルダである画像フォルダ５３との少なくとも二つのデータ格納用フォルダが設けられている。このような構成とすることで記録媒体に記録される複数の画像データファイルは、音声データファイルとの関連付け情報の有無によって、それぞれが専用の格納用フォルダに記録されることになる。そして、ファイル管理はフォルダ単位で行なうことができるようになっている。
【００４９】
なお、データ格納用フォルダは、音声フォルダ５２と画像フォルダ５３とが少なくとも各一個ずつ用意されていればよいが、これに限らずそれぞれがいくつあっても構わない。図５に示す例では、音声フォルダと画像フォルダとを各一個づつ備えて構成した場合を示している。
【００５０】
各データ格納用フォルダには、対応する形態のデータファイルがそれぞれに格納されるようになっており、各データファイルに附されているファイル番号は、これらの各データファイルが取得されたときに、音声画像記録装置１によって附されるものがそのまま利用されている。
【００５１】
即ち、図５において画像ファイルに着目すると、「画像ファイル１」と「画像ファイル４」とは音声フォルダ５２に格納されており、「画像ファイル２」と「画像ファイル３」とは画像フォルダ５３に格納されている。
【００５２】
音声画像記録装置１において画像データが取得される際には、時間軸に沿って撮影順にファイル番号が附されるようになっていることから、画像ファイルは、その１・２・３・４の順に撮影されている。そして、この四つの画像ファイルのうち「画像ファイル１」と「画像ファイル４」との二つの画像データファイルはそれぞれが「音声ファイル１」と「音声ファイル２」に関連付けられていることから、音声フォルダ５２の側に格納されているわけである。そして、「画像ファイル２」と「画像ファイル３」とは、音声データファイルへの関連付けがなされていないことから画像フォルダ５３に格納されている。
【００５３】
このように、音声データファイルへの関連付けの有無によって画像データファイルを異なるフォルダに格納するようにしているので、関連付け情報に基づく画像データファイルの管理が容易に行なうことができるようになっている。
【００５４】
なお、上述したように音声画像記録装置１によって記録される音声データファイルと画像データファイルとが取得される際には、個々の音声データファイルと画像データファイルとにその関連付け情報が、各データファイルに付随するファイルヘッダー部に記録されるようになっている（各データファイルの詳細構成については後述する）。
【００５５】
次に、本実施形態のデータ編集装置に接続される音声画像記録装置の記録媒体に記録される音声データファイル及び画像データファイルの詳細構成について図６〜図８に基づき以下に説明する。なお、各データファイルの小差以降性については、各データファイルが音声画像記録装置１の記録媒体からデータ編集装置２の記録媒体へと転送された後もその形態が変更されることはない。したがって、データ編集装置２においては音声画像記録装置１において取り扱われるのと全く同じ形態のデータを取り扱うようになっている。
【００５６】
図６は本実施形態のデータ編集装置又はこれに接続される音声画像記録装置によって取り扱われる音声データを含む音声データファイルの詳細構成を示す概念図である。また、図７は図６の音声データファイルのファイルヘッダー部の一部であるリンクファイル情報の詳細構成を示す概念図である。そして、図８は本実施形態のデータ編集装置又はこれに接続される音声画像記録装置によって取り扱われる画像データを含む画像データファイルの詳細構成を示す概念図である。
【００５７】
音声データファイルは、記録媒体に対して記録される際に作成されるファイルヘッダー部によって管理されるようになっている。このファイルヘッダー部は５１２バイトのフィールド（１セクタ）で定義される。
【００５８】
まず、図６・図７によって音声データファイルの詳細構成を説明する。
音声データファイルのファイルヘッダー部は、図６に示すように先頭から６バイト分（ａｄｄｒｅｓｓ　０−５）に、当該データファイルの録音開始日時の情報が例えば「ＨＨＭＭＳＳ」の形態で記録される。ここで「ＨＨ」は「時（ｈｏｕｒ）」情報を、「ＭＭ」は「分（ｍｉｎｕｔｅ）」情報を、「ＳＳ」は「秒（ｓｅｃｏｎｄ）」情報を、それぞれ表わしている。
【００５９】
次の１バイト分（ａｄｄｒｅｓｓ　６）には、音質に関する録音レート情報が記録される。ここで録音レートとしては、例えば「ＨＱモード」による高音質録音、「ＳＰモード」による標準音質録音、「ＬＰモード」による長時間（低音質）録音等の録音モードに対応するものであって、予め定義されている各録音レートに対応し１バイトで表わされる番号・符号等が記録されることになる。なお録音モードの切り換えは、メニュー／フォルダボタン１５の操作によって呼び出されるメニュー画面の中で行なうことができるようになっている。
【００６０】
次の２バイト分（ａｄｄｒｅｓｓ　７−８）には、ファイルＩＤ情報が記録される。このファイルＩＤ情報は、当該記録媒体１２２に記録されるデータファイルの記録順に音声データと画像データとによらず割り振られる各ファイルに個別の番号情報である。
【００６１】
以降のアドレス領域（ａｄｄｒｅｓｓ　９−３５８）には、当該音声データファイルに関連付けられている画像データファイルのリンクファイル情報が記録される。この場合において、一つのリンクファイル情報に付いては７バイト分が確保されている。
【００６２】
詳述するとリンクファイル情報は、図７に示すように２バイト分のファイル番号（Ｎｏ．）情報と、２バイト分のファイルＩＤ情報と、３バイト分のリンク（関連付け）位置情報（ＨＭＳ）との合計７バイトで構成されている。
【００６３】
そして、このリンクファイル情報は、当該音声データファイルに関連付けられている画像データファイルに応じた数だけ記録されるようになっている。なお、本実施形態においては一つの音声データファイルに対して最大５０個の画像データファイルを関連付けることができるようしている。したがって、ファイルヘッダー部において所定のアドレス（ａｄｄｒｅｓｓ　３５８）までが利用されるようになっている。
【００６４】
なお、以降のアドレス（ａｄｄｒｅｓｓ　３５９−５１１）は、本実施形態においては空白（ＢＬＡＮＫ）としているが、その他の情報を記録するようにしても構わない。
【００６５】
そして、音声データファイルにおけるそれ以降のアドレス（ａｄｄｒｅｓｓ　５１２）の領域には音声データ自体が記録されるようになっている。
【００６６】
次に、図８によって画像データファイルの詳細構成を説明する。
【００６７】
画像データファイルのファイルヘッダー部は、図８に示すように先頭から６バイト分（ａｄｄｒｅｓｓ　０−５）に当該データファイルの撮影日時の情報が、例えば音声データファイルと同様の「ＨＨＭＭＳＳ」の形態で記録される。
【００６８】
次の２バイト分（ａｄｄｒｅｓｓ　６−７）にはファイルＩＤ情報が記録される。
【００６９】
次の１バイト分（ａｄｄｒｅｓｓ　８）には、当該画像データファイルが音声データファイルの記録中に取得されたか否か、即ち録音動作中の撮影結果であるか否か、即ち関連付けられている音声データファイルの有無の判別を行なうリンク有無情報が記録される。
【００７０】
このリンク有無情報として「有」である旨を表わす情報が記録される場合には、次の６バイト分（ａｄｄｒｅｓｓ　９−１４）を使用して当該画像データファイルが何れの音声データファイルに関連付けられているかのリンク情報が記録される。なお、リンク有無情報が「無」である旨を表わす場合は、当該６バイト分（ａｄｄｒｅｓｓ　９−１４）の領域は空白である。
【００７１】
リンク情報について詳述すると、１バイト分（ａｄｄｒｅｓｓ　９）に関連付けられている音声データファイルのリンク先フォルダ情報を、次の２バイト分（ａｄｄｒｅｓｓ　１０−１１）に関連付けられている音声データファイルのファイル番号情報を、次の３バイト分（ａｄｄｒｅｓｓ　１２−１４）に関連づけられている音声データファイル内において何れの位置に関連付けされているかのリンク位置情報が記録される。
【００７２】
なお、ファイルヘッダー部において以降のアドレス（ａｄｄｒｅｓｓ　１５−５１１）は、本実施形態においては空白（ＢＬＡＮＫ）としているが、その他の情報を記録するようにしても構わない。
【００７３】
そして、画像データファイルにおけるそれ以降のアドレス（ａｄｄｒｅｓｓ　５１２）の領域には画像データ自体が記録されるようになっている。
【００７４】
このような構成とすることで、例えば画像データファイルのファイルヘッダー部を参照すれば、これに対応する音声データファイルと、そのリンク位置情報等を即座にかつ確実に判別することができる。また、音声データファイルのファイルヘッダー部を参照することによっても、同様に自己に関連付けされている画像データファイルを容易にかつ迅速に参照することができるようになる。
【００７５】
なお、音声画像記録装置１では、記録媒体１２２に記録済みの個々のデータファイルのファイル情報、即ちファイルヘッダー部に記録されているファイル情報は、情報表示部１３を利用して表示することができるようになっている。
【００７６】
ところで、音声画像記録装置１を用いてその記録媒体１２２に記録した音声データ及び画像データは、図１に示すような形態で当該音声画像記録装置１とデータ編集装置２とを接続した状態で両装置を通信させることにより、音声画像記録装置１の側からデータ編集装置２の側へと転送し、当該データ編集装置２の記録媒体内の所定の記録領域に格納することができるようになっている。
【００７７】
そして、データ編集装置２の側に格納された各データについては、その装置本体２ａの内蔵スピーカーを利用して音声データに基づく発音を行なったり、その表示部２ｂに画像データに基づく画像を表示させたりすることができると共に、これらの各データのファイル情報等を任意に編集することができるようになっている。
【００７８】
そのために、データ編集装置２には、これに接続される音声画像記録装置１の通信コントローラ１２３との間で通信を行なって当該音声画像記録装置１の記録媒体１２２に記録されている各データファイルのファイル情報を読み出して、データ編集装置２の内部に具備する記録媒体へと送信する機能を実現し、各データの再生する機能を有すると共に、各データのファイル情報等を任意に編集する機能を実現するデータ編集プログラムが導入されている。
【００７９】
なお、このデータ編集プログラムは、音声画像記録装置１で取得され同装置１から転送された後、当該データ編集装置２に格納された音声データ及び画像データを対象として各種の機能を実現し得るようになっている。当該データ編集プログラムによって実現し得る機能としては、上述したように音声画像記録装置１の記録媒体１２２に記録されているデータファイルをデータ編集装置２の側に読み出してデータ編集装置２の記録媒体に格納しこれを編集する機能のほかにも、例えば各データファイルの相互転送を行なったり、音声画像記録装置１のＤＳＰ１１４からの出力を直接データ編集装置２の側へ送信したり、データ編集装置２の側においてデータ圧縮された形態で記録されているデータファイルを音声画像記録装置１のＤＳＰ１１４へと直接送信して当該音声画像記録装置１の側のスピーカー２６を利用して発音再生する等の機能を備えている。
【００８０】
しかしながら、上述した各種の機能については、本発明には直接的に関係しない部分もあるので、その詳細な説明は省略するものとし、データ編集装置２に導入されるデータ編集プログラムによって実現される機能のうち、本発明に係わる部分、即ち転送済みの音声データ及び画像データについてのファイル情報（特に関連付け情報）についての編集機能について以下に詳述する。
【００８１】
上述したように、本実施形態のデータ編集表示プログラムが導入されたデータ編集装置２は、これに接続される音声画像記録装置１の通信コントローラ１２３との間で通信を行なって、その記録媒体１２２に記録済みの音声データファイル及び画像データファイルを当該データ編集装置２へと転送し格納することができるようになっている。そして、自己の内部に格納した各データを対象としてそのファイル情報を編集することができるようになっている。
【００８２】
図９は本実施形態のデータ編集装置に導入されたデータ編集プログラムを起動した際の表示画面を示し、データ編集装置の側に保存されている音声データファイルとこれに関連づけられた画像データファイル及び単独で撮影取得された画像データファイルのそれぞれの一覧を同時に閲覧している際の表示画面を表わす図である。
【００８３】
データ編集装置２と音声画像記録装置１とを図１に示すように接続して、音声画像記録装置１の記録媒体１２２に記録済みの音声データ及び画像データをデータ編集装置２へ転送した後、当該データ編集装置２に導入されているデータ編集プログラムを起動させると図９に示されるような表示が表示部２ｂによってなされる。この表示画面に対して所定の操作を行なうことによって音声画像記録装置１によって取得されデータ編集装置２に格納された各データファイルのファイル情報等を参照することができるようになっている。
【００８４】
まず、このデータ編集プログラムによる表示画面の各部の名称について、図９に基づき以下に説明する。
【００８５】
図において、符号２００で示す画面枠の中の所定の表示領域に各種機能を実現するための操作領域及び表示領域が設定されている。このような画面枠２００の表示形式については、近年一般的に実用化され普及している小型コンピュータに導入されるプログラム（応用ソフトウェア）の表示形式に準じたものであり、本実施形態のデータ編集プログラムも同様の形式のものが適用され、またその操作体系についても同様のものとなっている。
【００８６】
図９は、上述したようにデータ編集装置２に格納されている音声データファイル及び画像データファイルの一覧を表示している際の表示画面を表わしている。
【００８７】
図９において画面枠２００の最上段部にはこの情報表示用プログラムの名称表示領域２０１が表示されている。その下欄には本データ編集プログラムによって実行し得る複数の機能の名称を主に文字によって表示するメニュー表示欄２０２が表示されている。このメニュー表示欄２０２に表示される機能名称は、図に示すように例えば「ファイル（Ｆ）」・「編集（Ｅ）」・「表示（Ｖ）」・「ツール（Ｔ）」・「転送（Ｒ）」・「ヘルプ（Ｈ）」等等であるが、これらの項目をマウス等のポインティングデバイス等によって指し示す（クリックする）等の操作を行なうことによって、又はキーボード等の入力手段によって所定の文字列を押し下げ指示することによって、各項目の下層に用意されている機能名称が表示されたり、指示した機能が実行されるようになっている。
【００８８】
メニュー表示欄２０２の下欄にはツール表示欄２０３が表示されている。このツール表示欄２０３には、本データ編集プログラムによって実行し得る複数の機能のうち頻繁に使用されるであろう機能の幾つかが絵文字（いわゆるアイコン）等によって表示されている。このツール表示欄２０３に表示されているアイコンうち所望のアイコンをポインティングデバイス等によってクリック操作することによって、選択された指示されたアイコンに対応する機能が即座に実行し得るようになっている。
【００８９】
ツール表示欄２０３の下欄には、再生操作部表示欄２０４が表示されている。この再生操作部表示欄２０４には、予め選択された音声データファイルの時間的長さ（録音時間）が数字表記と時間軸（再生時間軸という）によって表示されるようになっている。また、この時間軸上には再生位置や、その音声データに関連付けられている画像データがある場合にはその位置情報等のファイル情報が所定の形態で表示されるようになっている。さらに、再生操作のための操作用領域がボタン形式で表示されている。
【００９０】
そして、再生操作部表示欄２０４の所定の領域をポインティングデバイス等によって所定の操作を行なうことによって、本データ編集装置２に記録されている音声データファイルのうちの選択された音声データファイルを対象に再生操作や画像データファイルの関連付け操作等のファイル操作を行なうことができるようになっている。
【００９１】
再生操作部表示欄２０４の下側の領域には、画面枠２００の左端側の領域にフォルダ構成表示領域が設けられている。このうち上段部には当該データ編集装置２に記録されているデータファイルのフォルダ構成を表示するフォルダ構成表示領域２０５が、下段部には当該データ編集装置２に記録されているデータファイルのうち音声データに関連づけされていない画像データのみが格納されている画像フォルダを表示する画像フォルダ構成表示領域２０６が表示されている。
【００９２】
なお、本実施形態においては、図９のフォルダ構成表示領域２０５に表示されるように、そのフォルダ構成は二つの音声フォルダ（Ａ・Ｂ）と一つの画像フォルダとによって構成されている。
【００９３】
再生操作部表示欄２０４の下欄において、画面枠２００の略中央部には上述の各フォルダ構成表示領域２０５・２０６で選択されているフォルダの詳細内容、つまり個々のデータファイルの名称一覧を表示するためのファイル一覧表示領域が表示されている。
【００９４】
このうち上段にはファイル一覧表示領域２０８が、下段には画像ファイル一覧表示領域２１０が表示されるようになっている。そして、ファイル一覧表示領域２０８にはフォルダ構成表示領域２０５で選択されているフォルダの詳細一覧が表示されるようになっている。また、画像ファイル一覧表示領域２１０には、画像フォルダ構成表示領域２０６で選択されているフォルダの詳細一覧が表示されるようになっている。なお、図９では画像フォルダ構成表示領域２０６における詳細一覧表示として、ファイル名称とそれに対応する縮小画像（サムネイル画像）を並べて表示するようにしているが、これとは別にファイル名称やそのファイルの撮影日時情報等を文字によって一覧する形式で表示させることも出来るようになっている。
【００９５】
これらの各ファイル一覧表示領域２０８・２１０に表示されているデータファイルから所望のデータファイルをポインティングデバイス等を用いて選択操作することによって、そのデータファイルの表示や再生及び編集等を行なうことができるようになっている。
【００９６】
再生操作部表示欄２０４の下欄において、画面枠２００の右端側の領域には上述のファイル一覧表示領域２０８で音声データファイルが選択されている場合にその選択された音声データファイルに関連付けられている画像データファイルの名称とそれに対応する縮小画像（サムネイル画像）の一覧が表示されるリンク画像表示領域２０９が表示されている。そして、画面枠２００の再下段には、状態表示欄２０７が表示されている。
【００９７】
図９に示す状態では、フォルダ構成表示領域２０５に示すように二つの音声フォルダのうち音声フォルダＡが選択されており、ファイル一覧表示領域２０８に示すように選択された音声フォルダＡに格納されている音声データファイルのうちファイル名称「ＤＷ＿Ａ０００５．ＷＡＶ」の音声データファイルが選択されている状態を示している。そして、この音声データファイル「ＤＷ＿Ａ０００５．ＷＡＶ」に関連付けられた二つの画像データ「ＤＷ＿Ｃ０００１．ｊｐｇ」と「ＤＷ＿Ｃ０００２．ｊｐｇ」とが縮小画像としてリンク画像表示領域２０９に表示されている。
【００９８】
また、画像フォルダ構成表示領域２０６に示すように画像フォルダが選択された状態であって、この選択された画像フォルダに格納されている複数の画像データファイルのファイル名称及び縮小画像が画像ファイル一覧表示領域２１０に表示されている。
【００９９】
なお、画像ファイル一覧表示領域２１０には上述したように当該データ編集装置２に記録されている画像データファイルのうち音声データファイルとの関連付けがなされず単独で撮影された画像データファイルに対応する画像のみが表示されている。
【０１００】
このように構成された本実施形態のデータ編集装置の作用について以下に説明する。
本データ編集装置２は、上述したように当該データ編集装置２に導入されているデータ編集プログラムによって作用し、使用者の操作によって各種の機能を実現し得るようになっている。
【０１０１】
図１０・図１１・図１２は、本実施形態のデータ編集装置に導入されたデータ編集プログラムの作用によって実行される処理のうちの一部の処理の流れを示すフローチャートであって、図１０はデータ編集装置に格納されている任意の音声データファイルに対して所望の画像データファイルを関連付ける際の関連付け追加処理のサブルーチンを示している。また、図１１はデータ編集装置に格納されている任意の音声データファイルに対して画像データファイルが関連付けられている場合において、その関連付けを取り消す（解除する）際の関連付け取り消し処理のサブルーチンを示している。そして、図１２はデータ編集装置に格納されている任意の画像データファイルを削除する際の関連付け画像の削除処理のサブルーチンを示している。
【０１０２】
まず、当該データ編集プログラムによって実行される関連付け追加処理のサブルーチン（図１０参照）について以下に説明する。
【０１０３】
使用者が図９に示す表示画面において、関連付けの追加を行なう対象となる音声データファイルの格納されている音声フォルダをフォルダ構成表示領域２０５からポインティングデバイスを用いて選択し、次いでファイル一覧表示領域２０８から対象となる音声データファイルを選択する。続いて画像フォルダ構成表示領域２０６の画像フォルダを選択する。
【０１０４】
この状態において、画像ファイル一覧表示領域２１０に表示されている複数の縮小画像、即ち音声データに関連付けられていない画像データに基づく画像のサムネイル画像のうち関連付けの追加を所望する画像データに対応するサムネイル画像を所定の表示領域に対してドラッグ＆ドロップ操作を施すことにより、図１０の関連付け追加処理のサブルーチンが実行される。
【０１０５】
ここでドラッグ＆ドロップとは、一般的なコンピュータ等における操作体系の一つであって、ポインティングデバイス又はキーボード等の入力装置を操作することによって所望の機能を実現するための一手段である。具体的には、表示画面上に表示されているポインタ（ポインティングデバイスの操作に連動する指標）をポインティングデバイスを操作して対象物に合わせた後、当該ポインティングデバイスの所定のボタンを押し、その状態を維持したままポインティングデバイスを操作してポインタを表示画面上の所望の位置まで移動させた後、目的とする所望の位置で押し下げていたボタンを開放する一連の操作である。
【０１０６】
関連付け追加処理のサブルーチンを実行させるドラッグ＆ドロップ操作は、画像ファイル一覧表示領域２１０に表示されている縮小画像を、例えば、
再生操作部表示欄２０４の再生時間軸上の所望の位置へのドラッグ＆ドロップ操作、
又はリンク画像表示領域２０９の所望の位置へのドラッグ＆ドロップ操作、
のいずれの操作によってもよい。この場合には所望する位置（ドロップ位置）に関連付けの位置情報が指定される。
【０１０７】
また、これとは別にメニュー表示欄２０２もしくはツール表示欄２０３から所定の操作メニューを選択することによっても同様の結果を得ることができる。この場合には「現在の再生位置（音声再生動作中の場合にはクリック操作を施した時点の位置。再生停止状態にあるときにはその停止位置）」に関連付けの位置情報が指定される。
【０１０８】
こうして関連付け追加処理のサブルーチンの実行が開始されると、図１０のステップＳ１において、関連先の音声データファイルのファイル名や関連付けを所望する関連位置の情報等が取得されて、ステップＳ２の処理に進む。
【０１０９】
ステップＳ２において、関連先の音声データファイルのファイルヘッダ部の所定のアドレスに対して対応する上述のステップＳ１において取得した関連情報を追加する。その後、ステップＳ３の処理に進む。
【０１１０】
ステップＳ３において、関連付けされた所望の画像データファイルを画像フォルダから関連付けの対象となる音声データファイルが格納されているのと同一の音声フォルダに移動する。その後、ステップＳ４の処理に進む。なお、ファイルの移動処理は、移動の対象となるデータファイルを目的のフォルダ内へと複写（コピー）した後、移動元フォルダにある対象データファイルを削除する一連の処理である。
【０１１１】
ステップＳ４において、関連付けされた画像データファイルのファイルヘッダ部の所定のアドレスに対して対応する関連情報を書き込む。その後、ステップＳ５の処理に進む。
【０１１２】
ステップＳ５において、図１０に示す表示画面の更新処理を行なった後、この一連の処理を終了する（リターン）。
【０１１３】
次に、当該データ編集プログラムによって実行される関連付け取り消し処理のサブルーチン（図１１参照）について以下に説明する。
【０１１４】
この場合には、まず使用者が図９に示す表示画面において関連付けの取り消しを行なう対象となる音声データファイルの格納されている音声フォルダをフォルダ構成表示領域２０５からポインティングデバイスを用いて選択し、次いでファイル一覧表示領域２０８から対象となる音声データファイルを選択する。
【０１１５】
この状態において、リンク画像表示領域２０９に表示されている縮小画像、即ち選択された音声データファイルに関連付けられている画像データに基づく画像のサムネイル画像のうち関連付けの取り消しを所望する画像データに対応するサムネイル画像をポインティングデバイスのクリック操作（所定のボタン押し下げ操作）によって選択する。
【０１１６】
ここでさらに所定のクリック操作、例えば右ボタンクリック操作を行なうことで関連付け画像の取り消しを実行するためのサブメニューが表示されるのでこれを選択指示する。もしくはメニュー表示欄２０２もしくはツール表示欄２０３から所定の操作メニューを選択することによっても同様の結果を得ることができる。これによって図１１の関連付けの取り消し処理のサブルーチンが実行される。
【０１１７】
こうして関連付けの取り消し処理のサブルーチンの実行が開始されると、図１１のステップＳ１１において、データ編集装置２の制御回路は関連先の音声データファイルの関連情報を削除する。これによって選択された音声データについての任意の画像データの関連付けが解除される。その後、ステップＳ１２の処理に進む。
【０１１８】
ここで、データ編集装置２の制御回路は、音声フォルダ（第１のフォルダ）に格納されている任意の音声データとこれに関連付けられている画像データとの関連付けを解除するリンク解除手段の役目をしている。
【０１１９】
ステップＳ１２において、データ編集装置２の制御回路は関連付けの取り消しを行なった画像データファイルを画像フォルダへと移動する。その後、ステップＳ１３の処理に進む。この場合においても、ファイルの移動処理は移動の対象となるデータファイルを目的のフォルダ内へと複写（コピー）した後、移動元フォルダにある対象データファイルを削除する一連の処理である。
【０１２０】
ここで、データ編集装置２の制御回路は、解除された関連付け情報が設定されていた画像データを音声フォルダ（第１のフォルダ）から画像フォルダ（第２のフォルダ）へと移動する移動手段の役目をしている。
【０１２１】
なお、このステップＳ１２において、解除された関連付け情報が設定されていた画像データを音声フォルダ（第１のフォルダ）から画像フォルダ（第２のフォルダ）へと移動させる際に、当該画像フォルダ（第２のフォルダ）内に移動の対象となる画像データ、即ち上述のステップＳ１１の処理において関連付け情報を削除した画像データと同一の画像データが存在した場合にはファイル移動の処理は禁止される。したがって、ここでデータ編集装置２の制御回路は、ファイル移動を禁止する禁止手段の役目をする。
【０１２２】
ステップＳ１３において、画像データファイルのファイルヘッダ部からリンク有無の情報を削除する。つまり、リンク無しの情報となるようにヘッダ情報の書き換えが行なわれる。その後、ステップＳ１４の処理に進む。
【０１２３】
ステップＳ１４において、図１１に示す表示画面の更新処理を行なった後、この一連の処理を終了する（リターン）。
【０１２４】
続いて、当該データ編集プログラムによって実行される関連付け画像の削除処理のサブルーチン（図１２参照）について以下に説明する。
【０１２５】
この場合にも、まず使用者が図９に示す表示画面において関連付けの取り消しを行なう対象となる音声データファイルの格納されている音声フォルダをフォルダ構成表示領域２０５からポインティングデバイスを用いて選択し、次いでファイル一覧表示領域２０８から対象となる音声データファイルを選択する。
【０１２６】
この状態において、リンク画像表示領域２０９に表示されている縮小画像であって、選択された音声データファイルに関連付けられている画像データに基づく画像のサムネイル画像のうち画像自体の削除を所望する画像データに対応するサムネイル画像をポインティングデバイスのクリック操作（所定のボタン押し下げ操作）によって選択する。
【０１２７】
ここでさらに所定のクリック操作、例えば右ボタンクリック操作を行なうことで関連付け画像の削除を実行するためのサブメニューが表示されるのでこれを選択指示する。もしくはメニュー表示欄２０２もしくはツール表示欄２０３から所定の操作メニューを選択することによっても同様の結果を得ることができる。これによって図１２の関連付け画像の削除処理のサブルーチンが実行される。
【０１２８】
こうして関連付け画像の削除処理のサブルーチンの実行が開始されると、図１２のステップＳ２１において、関連先の音声データファイルの関連情報（リンクファイル情報）を削除する。その後、ステップＳ２２の処理に進む。
【０１２９】
ステップＳ２２において、関連付けされていた画像データファイル自体の削除を行なった後、ステップＳ２３の処理に進む。
【０１３０】
ステップＳ２３において、図１２に示す表示画面の更新処理を行なった後、この一連の処理を終了する（リターン）。
【０１３１】
なお、本実施形態では図１０における関連付け追加処理を行なう際に、関連付けを行なう画像データファイルを関連先の音声データファイルが格納されている音声フォルダ内に複写した後、移動元フォルダ内にある対象の画像データファイルを削除するようにしている。これは、使用者が直感的に理解し易いようにするための措置である。
【０１３２】
これとは別に、関連付け追加処理を行なう際に、例えば上述の移動元フォルダ内にある関連付けの対象画像データファイルは削除しないようにする措置も考えられる。この場合には、関連付け追加処理において関連付けの対象となる画像データファイルを関連先の音声データファイルが格納されている音声フォルダ内に複写するのみの処理が行なわれる。
【０１３３】
したがって、このとき画像フォルダには関連付けの対象画像データファイルが残されることになるので、これと同一の画像データファイルをさらに異なる音声データファイルに関連付ける追加処理を行なうことができるようになる。即ち、同一の画像データファイルを複数の音声データファイルに対して関連付けることができるような構成とすることも可能である。
【０１３４】
以上説明したように上記一実施形態によれば、データ編集装置２の表示画面上において、音声データファイルと画像データファイルとの関連付けに関する操作、即ち関連付けの追加・取り消し・削除等、ファイル情報の編集操作を極めて容易に行なうことができるると共に、表示画面を視認しながら操作することができるので確実かつ良好な操作性を確保することができる。
【０１３５】
【発明の効果】
以上述べたように本発明によれば、音声画像記録装置によって取得した音声データ及び画像データを当該音声画像記録装置から転送させて自己の内部に格納した後、この音声データと画像データとを対象として各データの関連付け情報等についての編集を行ない得るデータ編集装置と、これに使用してその機能を実現し得るデータ編集プログラムとを提供することができる。
【図面の簡単な説明】
【図１】本発明の一実施形態のデータ編集装置とこれに接続される音声画像記録装置を示す概略構成図。
【図２】図１のデータ編集装置に接続される音声画像記録装置の操作面側を主に示す外観斜視図。
【図３】図１のデータ編集装置に接続される音声画像記録装置の裏面側を主に示す外観斜視図。
【図４】図１の音声画像記録装置の内部構成を概略的に示すブロック構成図。
【図５】図１のデータ編集装置が具備する記録媒体内における記録領域での記録形態を示す概念図。
【図６】図１のデータ編集装置又はこれに接続される音声画像記録装置によって取り扱われる音声データを含む音声データファイルの詳細構成を示す概念図。
【図７】図６の音声データファイルのファイルヘッダー部の一部であるリンクファイル情報の詳細構成を示す概念図。
【図８】図１のデータ編集装置又はこれに接続される音声画像記録装置によって取り扱われる画像データを含む画像データファイルの詳細構成を示す概念図。
【図９】図１のデータ編集装置に導入されたデータ編集プログラムを起動した際の表示画面を示し、データ編集装置の側に保存されている音声データファイルとこれに関連づけられた画像データファイル及び単独で撮影取得された画像データファイルのそれぞれの一覧を同時に閲覧している際の表示画面を表わす図。
【図１０】図１のデータ編集装置に導入されたデータ編集プログラムの作用によって実行される処理のうち関連付け追加処理のサブルーチンを示すフローチャート。
【図１１】図１のデータ編集装置に導入されたデータ編集プログラムの作用によって実行される処理のうち関連付け取り消し処理のサブルーチンを示すフローチャート。
【図１２】図１のデータ編集装置に導入されたデータ編集プログラムの作用によって実行される処理のうち関連付け画像の削除処理のサブルーチンを示すフローチャート。
【符号の説明】
１……音声画像記録装置
２……データ編集装置（コンピュータ；リンク解除手段・移動手段・禁止手段）
５１……データフォルダ
５２……音声フォルダ（第１のフォルダ）
５３……画像フォルダ（第２のフォルダ）
２００……画面枠
２０１……名称表示領域
２０２……メニュー表示欄
２０３……ツール表示欄
２０４……再生操作部表示欄
２０５……フォルダ構成表示領域
２０６……画像フォルダ構成表示領域
２０７……状態表示欄
２０８……ファイル一覧表示領域
２０９……リンク画像表示領域
２１０……画像ファイル一覧表示領域
【図１】
2004134985.tif 000003
【図２】
2004134985.tif 000004
【図３】
2004134985.tif 000005
【図４】
2004134985.tif 000006
【図５】
2004134985.tif 000007
【図６】
2004134985.tif 000008
【図７】
2004134985.tif 000009
【図８】
2004134985.tif 000010
【図９】
2004134985.tif 000011
【図１０】
2004134985.tif 000012
【図１１】
2004134985.tif 000013
【図１２】
2004134985.tif 000014